(57)【要約】【課題】従来の対物レンズ駆動装置では、装置の大型化や工程の増加があったので、小型化、薄型化することが可能な対物レンズ駆動装置を提供する。【解決手段】対物レンズ１と、対物レンズを保持するレンズホルダ２と、フォーカシングコイル部３ａ、トラッキングコイル部３ｃを備えたコイル部とを有する可動体と、前記第１のマグネット４および第２のマグネット５が前記可動体のコイル部を挟み込むように間隔をおいて略平行に固定されるベースとを有して、可動体のコイル部が第１のマグネット４と第２のマグネット５の間に空隙を介して可動に支持され、トラッキング方向における第１のマグネット４の幅がベースに設けられた第１のマグネット５の取り付け部の幅よりも大きく構成され、第１のマグネット４の相対位置がトラッキング方向に調整可能に構成されている。【選択図】図１
2006031784.tif 000002
【特許請求の範囲】
【請求項１】
対物レンズと、前記対物レンズを保持するレンズホルダと、フォーカシングコイルおよび少なくとも１つのトラッキングコイルを備えたコイル部とを有する可動体と、第１のマグネットと、前記第１のマグネットに対向する第２のマグネットと、前記第１のマグネットおよび前記第２のマグネットが前記可動体のコイル部を挟み込むように間隔をおいて略平行に固定されるベースとを有して、前記可動体のコイル部が前記第１のマグネットと前記第２のマグネットの間に空隙を介して可動に支持されている対物レンズ駆動装置において、トラッキング方向における前記第１のマグネットの幅が前記ベースに設けられた第１のマグネットの取り付け用の取り付け部の幅よりも大きく構成され、前記第２のマグネットに対する前記第１のマグネットの相対位置が前記トラッキング方向に調整可能に構成されていることを特徴とする対物レンズ駆動装置。
【請求項２】
対物レンズと、前記対物レンズを保持するレンズホルダと、フォーカシングコイルおよび少なくとも１つのトラッキングコイルを備えたコイル部とを有する可動体と、第１のマグネットと、前記第１のマグネットに対向する第２のマグネットと、前記第１のマグネットおよび前記第２のマグネットが前記可動体のコイル部を挟み込むように間隔をおいて略平行に固定されるベースとを有して、前記可動体のコイル部が前記第１のマグネットと前記第２のマグネットの間に空隙を介して可動に支持されている対物レンズ駆動装置において、前記ベースに設けられた前記第１のマグネットの取り付け部は前記第１のマグネットを前記取り付け部側から保持できるように切り欠きまたは貫通孔を有し、前記第２のマグネットに対する前記第１のマグネットの相対位置が前記トラッキング方向に調整可能に構成されていることを特徴とする対物レンズ駆動装置。
【請求項３】
ベースは対物レンズ駆動装置を構成しない外部保持手段により第1のマグネットを保持するために前記外部保持手段が通過可能な貫通孔を有することを特徴とする請求項１または２に記載の対物レンズ駆動装置。
【請求項４】
請求項１から３のいずれかに記載の対物レンズ駆動装置を用いた光ディスク用ドライブ装置。
【請求項５】
請求項４に記載の光ディスク用ドライブ装置を用いた情報処理装置。
【請求項６】
請求項４に記載の光ディスク用ドライブ装置を用いた音楽再生装置。
【請求項７】
対物レンズと、前記対物レンズを保持するレンズホルダと、フォーカシングコイルおよび少なくとも１つのトラッキングコイルを備えたコイル部とを有する可動体と、第１のマグネットと、前記第１のマグネットに対向する第２のマグネットと、前記第１のマグネットおよび前記第２のマグネットが前記可動体のコイル部を挟み込むように間隔をおいて略平行に固定されるベースとを有し、
前記可動体のコイル部が前記第１のマグネットと前記第２のマグネットの間に空隙を介して可動に支持されている対物レンズ駆動装置の製造方法において、前記第１のマグネットを対物レンズ駆動装置を構成しない外部保持手段により移動可能に保持する工程と、保持された前記第１のマグネットとあらかじめ固定された前記第２のマグネットと前記可動体のコイル部とを組立てる工程と、前記第２のマグネットおよび前記可動体のコイル部の少なくとも一方に対する前記第１のマグネットの相対位置を調整し位置決めする工程と、前記第１のマグネットの位置決め後に第１のマグネットをその取り付け部に固定する工程と、前記第１のマグネットの保持を開放し前記外部保持手段を取り除く工程を有する対物レンズ駆動装置の製造方法。
【発明の詳細な説明】
【技術分野】
【０００１】
本発明は、ディスク状光記録媒体に光学的に情報を記録および再生する記録再生装置などに用いられる対物レンズ駆動装置に関する。
【背景技術】
【０００２】
コンパクトディスク（ＣＤ）、デジタルバーサタイルディスク（ＤＶＤ）、ブルーレイディスク（ＢＤ）、ミニディスク（ＭＤ）などのディスク状光記録媒体（以下、単に光ディスクという）へ光学的に情報の記録および／または再生を行う光ディスク装置において用いられる対物レンズ駆動装置としては、例えばムービングコイル方式と呼ばれる図４に示すようなものがある。近年では、光ディスク装置に対してトラックの高密度化および光ディスク装置における高転送レート化への要求が強く、そのためには光ディスクを高速回転しても安定して情報の記録再生を行うことのできる精度の高い対物レンズ駆動装置が必要とされている。
【０００３】
この対物レンズ駆動装置は、半導体レーザから出射されたレーザ光を収束する対物レンズと、収束されたスポットを一定の収束状態を保ったままトラックに追従するように対物レンズを制御するためのコイルおよびマグネットなどにより構成される。以下、図４〜図６を参照しながら従来の対物レンズ駆動装置の一例について説明する。
【０００４】
図４および図５において、対物レンズ１００は貫通孔を有するレンズホルダ１０１に保持されている。レンズホルダ１０１の貫通孔の内側には略５角形状のフォーカシングコイル１０２と、さらにフォーカシングコイル１０２の側面に取りつけられた一対の略４角形状のトラッキングコイル１０３を備えた可動体が構成されている。そして、この移動体は、４本のワイヤー１０７ａ〜１０７ｄによってベース１０６に対してフォーカシング方向Ｆおよびトラッキング方向Ｔに移動可能に支持されている。このときフォーカシングコイル１０１およびトラッキングコイル１０３は、ベース１０６に固定されたマグネット１０４および１０５の間に空隙を介して同時に挟み込まれるよう可動に支持されている。
【０００５】
ベース１０６にはサスホルダ１０８が固定されており、サスホルダ１０８の背面には固定基板１１０が固定されている。
【０００６】
ワイヤー１０７ａ〜１０７ｄはベリリウム銅やリン青銅などの弾性金属材料からなり、フォーカシングコイル１０２の２本の端子および直列に接続された１対のトラッキングコイル１０３の２本の端子は、それぞれ独立にワイヤー１０７ａ〜１０７ｄを介して固定基板１１０に電気的に接続されている。
【０００７】
図５においてマグネット１０４および１０５は互いに異極が対向するように配置され、トラッキング方向Ｔの外形寸法は略同一でＪである。
【０００８】
以上のように構成された対物レンズ駆動装置は、フォーカシングコイル１０２あるいはトラッキングコイル１０３のマグネット１０４および１０５に挟み込まれた部分が駆動力発生点となり、その駆動力発生点は可動体の略中央に位置する。この駆動力発生点からずれた位置に対物レンズを配置して、光ビームをフォーカシング方向Ｆに反射させるための立上げミラー（図示せず）とマグネット１０４、１０５およびフォーカシングコイル１０２、トラッキングコイル１０３からなる駆動手段との機械的な干渉を避けて薄型化を図ったものが一般的な対物レンズ駆動装置の構成である。
【０００９】
一般に前述のような対物レンズ駆動装置を用いた光ディスク装置において、半導体レーザからの出射光に対して対物レンズの光軸が傾いていると光学的な収差を生じ、信号レベルの低下やＳ／Ｎ比の低下を招くために記録特性が悪化する。この出射光に対する対物レンズの傾きをチルトと呼ぶ。高密度記録化、高転送レート化の要求に応えるため、更に正確なチルト調整が求められているが、その一方で同時に光ディスク装置の小型化に対するニーズに伴い対物レンズ制御装置も小型化、特に薄型化も重要な課題となっている。
【００１０】
しかし、限られたスペースの中でより高い精度の位置決め制御を行うことは従来の組立精度では困難となってきている。
【００１１】
まず、チルト発生の課題を解決するために、特許文献１では、マグネットまたはマグネット取り付け部に移動調整機構を付加することで、組立後にラジアルチルトおよびタンジェンシャルチルトを打ち消すようにマグネットまたはマグネット取り付け部を移動してチルト調整すること、また特許文献２にはその構造が開示されている。
【特許文献１】特開平１１−２７３１０４号公報（第４頁、図１）
【特許文献２】特開平１１−３３９２９４号公報（第４頁、図１）
【発明の開示】
【発明が解決しようとする課題】
【００１２】
しかし、従来の技術を用いてマグネットやマグネット取り付け部を可動に構成する場合、組立後にチルト調整を行うことはできるが調整のための可動機構を別途付加することが必要であり、装置の大型化や工程の増加を免れない。したがって小型化や薄型化の要求には応えられないという課題があった。
【００１３】
本発明は、かかる従来の課題を解決する目的とするものであり、調整のための特別な機構を付加することを必要とせずにマグネットとコイルによる駆動力の作用点の調整ができ、小型化、薄型化することが可能な対物レンズ駆動装置を提供することを目的とする。
【課題を解決するための手段】
【００１４】
上記の課題を解決するために、本発明では、対物レンズと、前記対物レンズを保持するレンズホルダと、フォーカシングコイルおよび少なくとも１つのトラッキングコイルを備えたコイル部とを有する可動体と、第１のマグネットと、前記第１のマグネットに対向する第２のマグネットと、前記第１のマグネットおよび前記第２のマグネットが前記可動体のコイル部を挟み込むように間隔をおいて略平行に固定されるベースとを有して、前記可動体のコイル部が前記第１のマグネットと前記第２のマグネットの間に空隙を介して可動に支持されている対物レンズ駆動装置において、トラッキング方向における前記第１のマグネットの幅が前記ベースに設けられた第１のマグネットの取付用の取り付け部の幅よりも大きく構成され、前記第２のマグネットに対する前記第１のマグネットの相対位置がトラッキング方向に調整可能に構成されていることを特徴とする。
【発明の効果】
【００１５】
本発明によれば、組み立て時において、マグネットを保持したままで移動調整が容易にできるから、コイルとマグネットの組立時において、対向するマグネットに対する相対位置の調整が特別な機構を付加することなく可能となるため、対物レンズ駆動装置を小型化薄型化することができる。
【発明を実施するための最良の形態】
【００１６】
本発明の対物レンズ駆動装置においては、トラッキング方向における前記第１のマグネットの幅が前記ベースに設けられた第１のマグネットの取り付け部の幅よりも大きく構成され、前記第２のマグネットに対する前記第１のマグネットの相対位置がトラッキング方向に調整可能に構成されていることを特徴とする。
【００１７】
これにより、マグネットを保持したままで移動調整が容易になるから、コイルとマグネットの組立後において、対向するマグネットに対する相対位置の調整が特別な機構を付加することなく可能となるため対物レンズ駆動装置を小型化薄型化することができる。
【００１８】
また、第１のマグネットの取り付け部は前記第１のマグネットを前記取り付け部側から保持できるように切り欠きまたは貫通孔を有し、前記第２のマグネットに対して前記第１のマグネットの相対位置を調整可能に構成されていてもよい。
【００１９】
これにより、トラッキング方向における第１のマグネットの幅を取り付け部の幅よりも大きくできない場合にあっても、第２のマグネットに対する前記第１のマグネットの相対位置を容易に調整することができる。
【００２０】
請求項３に記載の対物レンズ駆動装置においては、前記ベースは対物レンズ駆動装置を構成しない外部保持手段により少なくとも一方のマグネットを保持するために前記外部保持手段が通過可能な貫通孔を有することを特徴とする。
【００２１】
これにより、ベース側からでも容易に第１のマグネットを保持することができ、ベース上の配置によらず、第２のマグネットに対する前記第１のマグネットの相対位置を容易に調整することができる。
【００２２】
請求項４に記載の光ディスク用ドライブ装置においては、上記記載の対物レンズ駆動装置を有する構成を採る。
【００２３】
この構成によれば、上記記載の対物レンズ駆動装置が用いられるため、材料および工程が削減され小型化薄型化が可能な光ディスク用ドライブ装置を提供できる。
【００２４】
請求項５に記載の情報処理装置においては、上記記載の光ディスク用ドライブ装置を有する構成を採る。
【００２５】
この構成によれば、上記記載の光ディスク用ドライブ装置が用いられるため、材料および工程が削減され小型化薄型化が可能な情報処理装置を提供できる。
【００２６】
請求項６に記載の音楽再生装置においては、上記記載の光ディスク用ドライブ装置を有する構成を採る。
【００２７】
この構成によれば、上記記載の光ディスク用ドライブ装置が用いられるため、材料および工程が削減され小型化薄型化が可能な音楽再生装置を提供できる。
【００２８】
（実施の形態１）
以下、本発明の実施の形態１における対物レンズ駆動装置について図面を参照しながら説明する。図１、図２および図３（ａ）、図３（ｂ）、図３（ｃ）において、Ｆはフォーカシング方向、Ｔはトラッキング方向、Ｋはフォーカシング方向Ｆおよびトラッキング方向Ｔに垂直な方向Ｋを示しており、これらフォーカシング方向Ｆ、トラッキング方向Ｔおよび方向Ｋはそれぞれ３次元直交座標系における各座標軸の方向に相当している。
【００２９】
図１および図２において、２は形成された樹脂からなるレンズホルダであり、レンズホルダ２には対物レンズ１が搭載されており、かつ対物レンズ１を避けた位置にフォーカシング方向Ｆに沿って略長方形状の貫通孔が空けられている。また、レンズホルダ２の略中央部にフォーカシング方向Ｆおよびトラッキング方向Ｔを含む平面に平行にプリントコイル３が取りつけられている。
【００３０】
プリントコイル３は基板上に方向Ｋと平行な軸の周りに導電性材料を渦巻き状に付着させてコイル構造を形成しており、フォーカシングコイル部３ａを構成する層とトラッキングコイル部３ｂ、３ｃを構成する層の２種類の層からなる。また、フォーカシングコイル部３ａは対物レンズ１に近い側に、トラッキングコイル部３ｂ、３ｃは対物レンズ１から遠い側に配置されており、トラッキングコイル部３ｂ、３ｃは直列に配線されている。
【００３１】
さらに、レンズホルダ２のトラッキング方向Ｔに垂直な２つの側面には各々中継端子板９が固定されており、プリントコイル３上に形成されたフォーカシングコイル３ａの両端端子およびトラッキングコイル部３ｂ、３ｃの両端端子が半田付けによって接続されている。
【００３２】
従って、対物レンズ１、レンズホルダ２、プリントコイル３、中継端子板９によって可動体が構成されている。また、可動体は対物レンズ１の光軸を含みトラッキング方向Ｔに垂直な平面に対して対称な形状となっており、可動体の重心は前記の平面状でプリントコイル３の面と交わる線上に位置するように設定されている。
【００３３】
４は同一面内に複数の磁極領域を有する第１の多極マグネットであり、トラッキング方向Ｔと平行な１つの磁界境界線で区切られた磁極領域４ａと磁極領域４ｂの２つの磁極領域によって構成され、５は４は同一面内に複数の磁極領域を有する第２の多極マグネットであり、フォーカシング方向Ｆと略平行な２つの磁界境界線とトラッキング方向Ｔと平行な１つの磁界境界線を組み合わせてできるコの字の磁界境界線で区切られた四角形状の磁極領域５ａと凹の字形状の磁極領域５ｂの２つの磁極領域によって構成される。
【００３４】
第１の多極マグネット４および第２の多極マグネット５はプリントコイル３を空隙を有して挟み込むように対向した位置に配置される。対物レンズから遠い側には第２の多極マグネット５が取り付け部６ｂを介してベース６に固定されている。また対物レンズに近い側には第１の多極マグネット４が冶具などの外部保持手段により保持されたまま取り付け部６ａに配置される。
【００３５】
第1の多極マグネット４と第2の多極マグネット５による電磁力の作用点が、可動体の支持中心を通るフォーカシング方向Fまたはトラッキング方向Tに働く場合には、可動体の移動に伴うチルトの発生は最小限に抑えられる。しかし、組立精度の影響や他の種々の調整の結果により、マグネットとコイルの位置関係がずれ、駆動力の作用点が可動体の支持中心を通らない場合には、支持中心回りのモーメントの発生により可動体の移動に伴ってラジアルチルトおよびタンジェンシャルチルトが発生する。発生した対物レンズのチルトはレーザ光の集光スポットの形状を変形させ、光学的な収差を生じさせる。この光学的な収差は記録特性悪化の大きな要因となるため、光ディスク装置の製作にあたっては極力この対物レンズのチルトの発生を防がねばならず、プリントコイル３を挟み込むように配置される第１の多極マグネットと第２の多極マグネットの相対位置の位置決めが重要となる。
【００３６】
本実施の形態１では、冶具などにより第１の多極マグネット４を両側から保持し、あらかじめベース６に固定されている第２の多極マグネット５に対して、相対位置を移動調節しながら第１の多極マグネット４を固定できるようにトラッキング方向における第１の多極マグネット４の幅を取り付け部６ａの幅よりも大きく構成したことを特徴とする。この構成にすることでトラッキング方向に移動調整させる際に、第1の多極マグネット４が取り付け部６ａに隠れることがない。したがって対向する第２の多極マグネットに対する相対位置を容易に移動調整が可能であり上述のチルトの発生を抑止できる。
【００３７】
ここで組立時は、第１のマグネット４、第２のマグネット５およびプリントコイル３による駆動力の作用点を確認できる最低限の構成を組立てた後を意味し、対物レンズ駆動装置を構成する全ての要素を完成させることを意味しない。
【００３８】
また、固定する手段は接着剤を用いたものでも止め具を用いたものでも良く、その手段の如何を問わない。
【００３９】
なお、本実施の形態では、第１の多極マグネット４に対するその取り付け部６aの幅を変化させることでマグネットを保持容易な構造を実現したが、高さを変化させたり、取り付け部６aに対して第１の多極マグネット４に取っ手を付加するなどの方法によって保持容易な構造としたものであっても構わない。
【００４０】
またマグネットの取り付け部として磁性ヨークなどを用いる必要がない場合、ベースの一部分にマグネットを直接貼り付ける構成としても良い。この場合には取り付け部をベースと一体として製作できるため、更なる材料および工程の削減効果が得られる。
【００４１】
以上のようにして可動体の支持中心と第１の多極マグネット４、第２の多極マグネット５およびプリントコイル３の駆動力の作用点を一致させた後、第１の多極マグネット４と取り付け部６ａを接着する。第1の多極マグネット４を保持していた冶具などを取り除き、残りの部品を組立てて対物レンズ駆動装置として完成させる。このような構成とすることで組立後にチルトの発生の原因となるマグネットの相対位置のずれを容易に移動調整できるため、特別な機構を付加する必要がなく、チルトの発生の抑止しながらも装置を小型化薄型化できる優れた対物レンズ駆動装置を提供できる
（実施の形態２）
以下、本発明の実施の形態２における対物レンズ駆動装置について図面を参照しながら説明する。なお、実施の形態１と同様の構成を有するものについては、同一符号を付しその説明を省略する。
【００４２】
本実施の形態２では、実施の形態１に記載した構成の対物レンズ駆動装置において、第１の多極マグネット４に対して取り付け部６ａ両側の一部を切り欠いた形状とした。この形状とすることにより、冶具などによってその切り欠き部を通して第１の多極マグネットを保持しつつ、トラッキング方向に移動調整することが可能になる。
【００４３】
この構成により、取り付け部６ａが第１の多極マグネット４よりも大きい場合であっても移動調整することができ、第２の多極マグネット５に対する相対位置を容易に位置決めすることができるので、ベース６などの強度不足により取り付け部６ａを第１の多極マグネット４よりも大きく構成しなければならない場合にも、特別な機構を付加する必要なしに相対位置の位置決めができる。
【００４４】
このとき、第１のマグネット４の取り付け部６ａに冶具などの外部保持手段通過用以外に孔を空けた構造とすることで、そこから接着剤などを流し込むことができるため第１の多極マグネット４を取り付け部６ａ側から容易に固定することができる。
【００４５】
第１の多極マグネット４と取り付け部６ａの幅が同程度である場合は取り付け部６ａの両側に切り欠きを設ければよいが、さらに幅が広い場合には貫通孔を設けてもよい。
【００４６】
（実施の形態３）
以下、本発明の実施の形態３における対物レンズ駆動装置の製造方法について図面を参照しながら説明する。なお、実施の形態１と同様の構成を有するものについては、同一符号を付しその説明を省略する。
【００４７】
本実施の形態３では、実施の形態１に記載した構成の対物レンズ駆動装置を組立てるにあたり、以下に挙げる工程により組立てることを特徴とする。
【００４８】
まず、第１の多極マグネット４を、例えばクリップ型の冶具などにより両側から挟んで保持する。この冶具は少なくとも１軸方向に移動調整可能とする。また、ベース６に少なくとも第２の多極マグネット５を固定する。
【００４９】
冶具は可動体を挟んでベース６と反対側または取り付け部６ａ側から差し入れて保持することが好ましいが、例えばベース６側から差し入れる場合など、冶具が通過可能な貫通孔や切り欠きを設けるなどとしてもよい。
【００５０】
次に、第２の多極マグネット５が固定されたベース６に対して、冶具に保持したまま第１の多極マグネット４を取り付け部６ａ近辺に可動に配置し、第１の多極マグネット４と第２の多極マグネット５により発生する電磁力の作用点が可動体の支持中心に一致するように、第１の多極マグネットの第２の多極マグネットに対する相対位置を移動調整する。具体的には可動体をトラッキング方向およびフォーカシング方向に移動させた際にチルトが発生しない位置に第１の多極マグネット４を移動調整する。
【００５１】
第１の多極マグネット４を位置決めした後、取り付け部６ａに接着剤により固定する。
【００５２】
最後に、第１の多極マグネット４を保持していた冶具を取り外し、残りの構成を組立てて実施の形態１に記載の対物レンズ駆動装置を完成させる。
【００５３】
この製造方法を用いることで組立後にチルトの発生の原因となるマグネットの相対位置のずれを容易に移動調整できるため、特別な機構を付加する必要がなく、チルトの発生の抑止しながらも小型化薄型化できる優れた対物レンズ駆動装置を提供できる
ここでも、組立時とは、第１のマグネット４、第２のマグネット５およびプリントコイル３による駆動力の作用点を確認できる最低限の構成の組立て後を意味し、対物レンズ駆動装置を構成する全ての要素を完成させることを意味しない。
【００５４】
ここで、第１の多極マグネットを移動可能に保持する冶具などの外部保持手段は、保持した対象物を少なくとも１軸方向に移動可能であり、第1の多極マグネットを保持しつつ第2の多極マグネット５およびプリントコイル3を含む可動部を組立てることが可能に構成されるものであれば良く、その形状および保持手法を問わない。
【００５５】
上述のようにトラッキングコイルおよびフォーカシングコイルを基板にプリントし重ね合わせたものや、基板の表裏にそれぞれのコイルをプリントし一体構造として配置したコイルユニットを使用する際には、マグネットとコイルによる駆動力の作用点をより高い精度で調整しなければならず、本発明が一段と高い効果を発揮する。
【産業上の利用可能性】
【００５６】
本発明の対物レンズ駆動装置は、小型薄型化が図れるため、例えば光りディスクドライブの小型薄型化に寄与することができる。
【図面の簡単な説明】
【００５７】
【図１】本発明の実施の形態における対物レンズ駆動装置の構成を示す分解斜視図
【図２】本発明の実施の形態における対物レンズ駆動装置の構成を示す平面図
【図３】本発明の実施の形態における対物レンズ駆動装置を示し、（ａ）は（ｂ）を矢印Ｕの方向から見た場合の第２の多極マグネットとトラッキングコイル部の位置関係を透視的に表した模式的な側面図、（ｂ）は図２の第１の多極マグネット、第２の多極マグネットおよびプリントコイルの位置関係を説明するための模式的な平面図、（ｃ）は（ｂ）を矢印Ｖの方向から見た場合の第１の多極マグネットとフォーカシングコイル部の位置関係を透視的に表した模式的な側面図
【図４】従来の対物レンズ駆動装置の構成を示す分解斜視図
【図５】従来の対物レンズ駆動装置の構成を示す平面図
【図６】従来の対物レンズ駆動装置の構成を示し、（ａ）は（ｂ）を矢印Ｕの方向から見た場合のマグネットとフォーカシングコイルの位置関係を透視的に表した模式的な側面図、（ｂ）は従来の対物レンズ駆動装置におけるマグネットとフォーカシングコイルおよびトラッキングコイルの位置関係を説明するための模式的な平面図、（ｃ）は（ｂ）を矢印Ｖの方向から見た場合のマグネットとトラッキングコイルの位置関係を透視的に表した模式的な側面図
【符号の説明】
【００５８】
１    対物レンズ
２    レンズホルダ
３    プリントコイル
３ａ    フォーカシングコイル部
３ａ１、３ａ２    有効コイル領域
３ｂ    トラッキングコイル部
３ｂ１、３ｂ２    有効コイル領域
３ｃ    トラッキングコイル部
３ｃ１、３ｃ２    有効コイル領域
４    第１の多極マグネット
４ａ、４ｂ    磁極領域
５    第２の多極マグネット
５ａ、５ｂ    磁極領域
６    ベース
６ａ    取り付け部
６ｂ    取り付け部
７ａ〜７ｄ    ワイヤー
８    サスホルダ
９    中継端子板
１０    固定基板
１００    対物レンズ
１０１    レンズホルダ
１０２    フォーカシングコイル
１０３    トラッキングコイル
１０４、１０５    マグネット
１０６    ベース
１０７ａ〜１０７ｄ    ワイヤー
１０８    サスホルダ
１０９    中継端子板
１１０    固定基板
【図１】
2006031784.tif 000003
【図２】
2006031784.tif 000004
【図３】
2006031784.tif 000005
【図４】
2006031784.tif 000006
【図５】
2006031784.tif 000007
【図６】
2006031784.tif 000008